(57)【要約】【課題】  簡単な構成で、草や土などが作業者側へ飛散するのを防止することができる、ナイロンコードカッタおよびそれを用いた作業機を提供することである。【解決手段】  下方向に突出する出力軸を棹部の一端に備えた作業機に接続され、前記棹部の一端に接続される連結部ケースと、前記連結部ケースに収容され、前記出力軸に接続される連結軸と、前記連結軸に接続される回転軸と、前記回転軸によって回転運動させられるナイロンコードケースと、ナイロンコードケースの外周に設けられ、回転する刈刃として使用されるナイロンコードと、を備えたナイロンコードカッタにおいて、前記回転方向視において、前記ナイロンコードの回転面を前記棹部の中心軸によって２等分するとき、前記ナイロンコードが前記棹部から遠ざかるように駆動する側の半面がもう一方の半面よりも下方に位置するように、前記回転軸が前記出力軸に対して傾斜する。【選択図】図２
2016140274.tif 000002
【特許請求の範囲】
【請求項１】
下方向に突出する出力軸を棹部の一端に備えた作業機に接続され、
前記棹部の一端に接続される連結部ケースと、
前記連結部ケースに収容され、前記出力軸に接続される連結軸と、
前記連結軸に接続される回転軸と、
前記回転軸によって回転運動させられるナイロンコードケースと、
ナイロンコードケースの外周に設けられ、回転する刈刃として使用されるナイロンコードと、を備えたナイロンコードカッタにおいて、
前記回転軸方向視において、前記ナイロンコードの回転面を前記棹部の中心軸によって２等分するとき、前記ナイロンコードが前記棹部から遠ざかるように駆動する側の半面がもう一方の半面よりも下方に位置するように、前記回転軸が前記出力軸に対して傾斜する、ことを特徴とするナイロンコードカッタ。
【請求項２】
前記ナイロンコードは上方から見たときに反時計回りとなるように回転する、ことを特徴とする請求項１に記載のナイロンコードカッタ。
【請求項３】
前記連結部ケースは、前記出力軸の回転方向における前記連結部ケースと前記棹部の一端との位置決めを行う位置決め部材を有する、ことを特徴とする請求項１または請求項２に記載のナイロンコードカッタ。
【請求項４】
前記ナイロンコードケースが、前記連結部ケースを介して前記棹部の一端に取り付けられる、ことを特徴とする請求項１乃至３に記載のナイロンコードカッタ。
【請求項５】
前記回転軸が前記出力軸に対し、５度以上４５度以下の範囲で傾斜する、ことを特徴とする請求項１乃至４に記載のナイロンコードカッタ。
【請求項６】
前記連結軸と前記回転軸との連結部にユニバーサルジョイントを用いた、ことを特徴とする請求項１乃至５に記載のナイロンコードカッタ。
【請求項７】
請求項１乃至６のいずれか１項に記載のナイロンコードカッタが接続される、ことを特徴とする作業機。
【発明の詳細な説明】
【技術分野】
【０００１】
本発明は、ナイロンコードカッタ、およびそれを用いた作業機に関するものである。
【背景技術】
【０００２】
従来の刈払機を図４、図５を用いて説明する。
【０００３】
刈払機での草刈り作業に使用する刃物は主に、図４に示す金属製のチップソー３と、図５に示すナイロンを紐状にしたナイロンコードカッタ５である。作業者は棹部７の先端のギヤケース２に刃物を取り付け、刃物を操作者側（棹部の延伸方向）から見て反時計回り（回転方向矢印２４）に高速回転させることで、草刈り作業を実現する。
【０００４】
金属製のチップソー３は切れ味が良く、太い茎を持つ草や、背の高い草などの草刈り作業に向いている。これに対してナイロンコードカッタ５は、特許文献１にも示されるようにナイロンコードケースから複数本のナイロンコードが伸びて構成され、主に柔らかい草や背の低い草などの草刈り作業に向いている。また、チップソー３ではチップが接触し破損する恐れのあるフェンス沿いや側溝脇など障害物のある場所での作業にも、ナイロンコードカッタ５は適している。作業者はこれらの特徴を理解し、草の種類や太さ、あるいは作業環境に応じて刃物の使い分けをして作業している。
【先行技術文献】
【特許文献】
【０００５】
【特許文献１】特開２０１２−２４１６８８
【発明の概要】
【発明が解決しようとする課題】
【０００６】
チップソー３を使用する場合、作業者は刈払機を右から左に振り、チップソーの左側の領域Ｂを用いて切断作業を行うように周知されている。
【０００７】
一方、ナイロンコードカッタ５はチップソー３と比較して柔らかく、切断範囲も視認しにくいことから、草や土などをひっかけて飛散させやすい。このため、チップソー３と同じように刈払機を右から左に振り、ナイロンコードカッタ５の左側が草との接触位置となるように作業を行うと、ナイロンコード５により草や土などが作業者に向かって飛散し衣服などを汚すため、操作者にとって不快である。そのため、ナイロンコードカッタ５を使用する際はチップソー３とは逆に刈払機を左から右に振り、ナイロンコードカッタ５の右側が草との接触位置となるように作業をすることで、作業者への飛散物を軽減する事が推奨されている。
【０００８】
しかし、実際の作業者の多くはナイロンコードカッタ５の上記の特徴を認知せず、チップソー３の使用経験から、ナイロンコードカッタ５の場合でも刈払機を右から左に振るように作業している事が多い。そのため、草や土などが作業者に向かって飛散し、不快な状態のまま作業されているのが実情である。
【０００９】
また、チップソー３を用いた刈払機において、刈払機のギヤケース２にアタッチメントを取り付け、ギヤケース２の出力軸に対するチップソー３の取り付け角度を任意の位置に設定できる構成も知られている。しかしこの構成の刈払機では、作業者はチップソー３とナイロンコードカッタ５を交換する度にそれぞれの作業に適した角度に刈刃の回転軸の角度を調整する必要があり、ナイロンコードカッタ５の上記の特徴を認識していない作業者にとっては効果的ではない。また、作業者がナイロンコードカッタ５の特徴を認識していたとしても、回転軸の角度を適切な範囲としなければ十分な効果が得られず、角度が小さすぎるため飛散物が作業者側に飛んだり、角度が大きすぎるために切断可能範囲が狭まったりといった問題が生じる恐れがある。また、度々回転軸の角度を調整することは利便性が悪く、作業者の負担となる。また、刈刃をギヤケースに取り付ける際には、ギヤケースとナイロンコードカッタ５との間にアタッチメントを取り付ける必要もあり、部品点数が多く作業も煩雑である。
【課題を解決するための手段】
【００１０】
上記課題を解決するため、本発明の第１の観点に係るナイロンコードカッタは、下方向に突出する出力軸を棹部の一端に備えた作業機に接続され、前記棹部の一端に接続される連結部ケースと、前記連結部ケースに収容され、前記出力軸に接続される連結軸と、前記連結軸に接続される回転軸と、前記回転軸によって回転運動させられるナイロンコードケースと、ナイロンコードケースの外周に設けられ、回転する刈刃として使用されるナイロンコードと、を備えたナイロンコードカッタにおいて、前記回転方向視において、前記ナイロンコードの回転面を前記棹部の中心軸によって２等分するとき、前記ナイロンコードが前記棹部から遠ざかるように駆動する側の半面がもう一方の半面よりも下方に位置するように、前記回転軸が前記出力軸に対して傾斜する、構成としたことを特徴とする。
【００１１】
また、前記ナイロンコードが上方から見たときに反時計回りとなるように回転してもよい。
【００１２】
また、前記連結部ケースは、前記出力軸の回転方向において前記連結部ケースと前記棹部の一端との角度を一定とする位置決め部材を有してもよい。
【００１３】
また、前記ナイロンコードケースが、前記連結部ケースを介して前記棹部の一端に取り付けられてもよい。
【００１４】
また、前記回転軸が前記出力軸に対し、５度以上４５度以下の範囲で傾斜してもよい。
【００１５】
また、前記出力軸と前記回転軸との連結部にユニバーサルジョイントを用いてもよい。
【００１６】
本発明の第２の観点に係る作業機は、前記ナイロンコードカッタが接続される、ことを特徴とする。
【発明の効果】
【００１７】
本発明によれば、常に作業者への飛散物を軽減するナイロンコードリールを提供する事が可能となる。
【図面の簡単な説明】
【００１８】
【図１】本発明のナイロンコードカッタ断面図
【図２】本発明のナイロンコードカッタをギヤケースに接続した状態の断面図
【図３】本発明の草刈り作業図
【図４】従来のチップソー外観図
【図５】従来のナイロンコードカッタ外観図
【発明を実施するための形態】
【００１９】
以下に本発明となる傾斜式ナイロンコードカッタの実施例について図１〜図３を用いて説明する。
【００２０】
図１に示すのは本発明のナイロンコードカッタ６を、刈払機１に取り付けた場合に棹部７の延伸方向となる側から見た断面図である。
【００２１】
連結部ケース８は上側連結部ケース８ａと下側連結部ケース８ｂ、連結軸９、回転軸１０、第１軸受１１、ピン１２、第２軸受１３、皿ねじ１４から構成される。連結軸９は上側連結部ケース８ａに圧入されている第１軸受１１に圧入されており、上側連結部ケース８ａに対して回転可能に設けられる。上側連結部ケース８ａには下側連結部ケース８ｂが皿ねじ１４により固定される。下側連結部ケース８ｂには第２軸受１３が圧入され、連結軸９にピン１２により連結された回転軸１０が第２軸受１３内に圧入され、さらに回転軸１０は上側ナイロンコードケース１５ａに設けられたナイロンコードケース軸受１８にも圧入される。このため、連結軸９と回転軸１０により、上側ナイロンコードケース１５ａは下側連結部ケース８ｂに回転可能に連結する。
【００２２】
また、第２軸受１３は第１軸受１１に対し約７度傾いた配置とし、これにより回転軸１０が連結軸９に対し傾いた状態となり、連結軸９と回転軸１０は一組のユニバーサルジョイント１６として機能する。回転軸１０の回転により、ナイロンコード４、上側ナイロンコードケース１５ａ、下側ナイロンコードケース１５ｂ、リール１７からなるナイロンコードケース１５が回転し、ナイロンコード４は刈刃として機能する。
【００２３】
図２に示すのは本発明のナイロンコードカッタ６を刈払機１に取り付けた状態で、棹部７の延伸方向から見た断面図である。ナイロンコードカッタ６は、連結軸９の雌ねじ部と、刈払機１の先端に設けられたギヤケース２が備える出力軸１９の雄ねじ部とが噛み合うことにより結合される。つまり、ナイロンコードケース１５は連結部ケース８を介してギヤケース２と連結されており、このように取り付けられることで、回転軸１０は出力軸１９に対し傾斜した状態で取り付けられる。
【００２４】
ナイロンコードカッタ６をギヤケース２に取り付ける際には、ギヤケース２に対する出力軸１９の回転を図示しない回転止め部材によって規制した後、連結軸９の雌ねじ部を出力軸１９の雄ねじ部へ当接させた状態で、上側連結部ケース８ａを把持しながらナイロンコードケース１５を回転させ、連結軸９の雌ねじ部と出力軸１９の雄ねじ部を噛み合わせることで、取り付けられる。また、上側連結部ケース８ａには刈払機１のギヤケース２に設けられたギヤケース穴部２０を貫通する位置決めねじ２１を設けられており、出力軸の回転方向における位置決めが行われることから、回転軸１０の傾斜の方向は棹部７の延伸方向から見て右側が下方となるように規制される。
【００２５】
図３に示すのは本発明のナイロンコードリールを使用した草刈り作業図である。作業者２２は草２３を刈る際、ハンドル２７を水平に把持した状態で刈払機１を右から左に動かし、草刈り作業をする。この時、回転軸１０は作業者２２側（棹部７の延伸方向）から見て右側へ傾いた状態となるため、ナイロンコードカッタ６の右側の領域Ａが左側に比べて地面へ近くなり、領域Ａにおいて草２３が刈られる。ナイロンコード４はナイロンコードカッタの回転範囲２６を回転方向矢印２４の方向へ回転しているため、ナイロンコードカッタ６の右側で草２３が刈られたときに生じる飛散物２５の飛散方向は、作業者２２の側とは反対方向となる。
【００２６】
以上の構成によれば、回転軸１０が出力軸１９に対し、棹部７の延伸方向から見て右側の方向へ傾斜することから、右側が草や土などとの接触位置となるため、刈払機１を右から左に振るように作業しても、作業者へ飛ぶ飛散物２５を軽減することができる。
【００２７】
また、回転軸１０の出力軸１９に対する角度は第１軸受１１と第２軸受１３によって一定に保たれており、上側連結部ケース８ａに設けられた位置決めねじ２１によって回転軸１０の傾斜方向も一方向に定められることから、ナイロンコードカッタ６の特徴を認識していない作業者であっても、作業者側への飛散物２５を軽減した状態での作業を行うことができる。また、回転軸１０の角度と傾斜方向を調整する必要もないため、草刈り作業の準備に要する行程が削減され、利便性が高い。
【００２８】
また、ナイロンコードケース１５は連結部ケース８を介することでギヤケース２と連結されているため、刈刃とギヤケース２との間に介する部品の点数が少なく安価に提供することができる。また、連結部ケース８の回転軸１０はナイロンコードケース１５に圧入されており、連結部ケース８とナイロンコードケース１５は一体の部品（ナイロンコードカッタ６）として形成されるため、作業者はナイロンコードカッタ６をギヤケース２に取り付けるだけでこれを使用できる。このため、ナイロンコードカッタとギヤケースとの間に両者と別体の角度調整部材を取り付けるような構成と比較して、簡単な作業のみで刈刃をギヤケースに取り付けられる。
【００２９】
また、回転軸１０と出力軸１９とのなす角度は５度以上４５度以下として構成しているため、角度が小さすぎることでナイロンコードカッタ６の左側が領域Ａより先に草２３と接触し飛散物２５が作業者側に飛んだり、角度が大きすぎるために切断可能範囲が狭まったりすることなく、最も効果的に切断作業を行うことができる。
【００３０】
また、ギヤケース２の出力軸１９とナイロンコードケース１５との接続を、連結軸９と回転軸１０からなるユニバーサルジョイント１６で形成したことで、出力軸１９と角度をなす回転軸１０を、安価でありながら堅固な構成で実現することができる。
【００３１】
以上、実施の形態を例に本発明を説明したが、本願発明は請求項に記載の範囲で種々の変形が可能であることは、当業者に理解されるところである。例えば、本実施の形態では、ギヤケース２の出力軸１９とナイロンコードケース１５との接続にユニバーサルジョイント１６を用いる構成としたが、このユニバーサルジョイント１６の代わりにフレキシブルワイヤーを用いる構成としてもよく、この場合にはフレキシブルワイヤーの重量が軽いため、ナイロンコードカッタ６全体の軽量化を図ることができる。また、本実施の形態では、回転軸１０の傾斜の方向を規定するために、上側連結部ケース８ａに設けられた位置決めねじ２１をギヤケース穴部２０に貫通させる構成としたが、この規定方法は位置決めねじ２１を用いなくてもよく、例えば上側連結部ケース８ａとギヤケース２との接触面に、出力軸１９回転方向における角度を規定するように凹凸を設け、互いに嵌合させる構成としてもよい。また、本実施の形態では回転軸１０と出力軸とのなす角度は約７度としたが、刈払機１を右から左に振るように作業してもナイロンコードカッタ６の右側の領域で切断作業が行われる構成であれば、この角度は何度であってもよい。また、本実施の形態では、棹部７の一端にギヤケース２を設け、ギヤケース２が備える出力軸１９に連結軸９を接続する構成としたが、これは必ずしもギヤケース２を用いなくてもよく、例えば棹部７の一端にモータを内蔵するモータハウジングを設けモータの出力軸に連結軸９を接続したり、湾曲した棹部７から直接出力軸が突出し連結軸９と接続したりする構成でも良い。
【符号の説明】
【００３２】
１  刈払機
２  ギヤケース
３  チップソー
４  ナイロンコード
５  従来のナイロンコードカッタ
６  本発明のナイロンコードカッタ
７  棹部
８  連結部ケース
８ａ  上側連結部ケース
８ｂ  下側連結部ケース
９  連結軸
１０  回転軸
１１  第１軸受
１２  ピン
１３  第２軸受
１４  皿ねじ
１５  ナイロンコードケース
１５ａ  上側ナイロンコードケース
１５ｂ  下側ナイロンコードケース
１６  ユニバーサルジョイント
１７  リール
１８  出力軸
１９  ナイロンコードケース軸受
２０  ギヤケース穴部
２１  位置決めねじ
２２  作業者
２３  草
２４  回転方向矢印
２５  飛散物
２６  ナイロンコードカッタの回転範囲
２７  ハンドル
【図１】
2016140274.tif 000003
【図２】
2016140274.tif 000004
【図３】
2016140274.tif 000005
【図４】
2016140274.tif 000006
【図５】
2016140274.tif 000007